(57)【要約】【課題】ユーザーの利便性を向上させた画像形成システムを提供する。【解決手段】画像形成システム２４は、携帯端末装置４１と、携帯端末装置４１と無線通信が可能である画像形成装置１１とを含む。携帯端末装置４１は、携帯端末装置記憶部４４と、バッテリー４６と、充電量検知部４７と、判断部４８と、送信制御部４９とを備える。充電量検知部４７は、バッテリー４６の充電量を検知する。判断部４８は、充電量検知部４７により検知されたバッテリー４６の充電量が所定の量以下であるか否かを判断する。送信制御部４９は、判断部４８によりバッテリー４６の充電量が所定の量以下であると判断されれば、携帯端末装置記憶部４４に記憶された携帯端末装置データを無線通信により画像形成装置１１に送信するよう制御する。【選択図】図２
2019068116.tif 000002
【特許請求の範囲】
【請求項１】
携帯端末装置と、前記携帯端末装置と無線通信が可能である画像形成装置とを含む画像形成システムであって、
前記携帯端末装置は、
前記携帯端末装置に関する携帯端末装置データを記憶する携帯端末装置記憶部と、
前記携帯端末装置を駆動させる電力を蓄えるバッテリーと、
前記バッテリーの充電量を検知する充電量検知部と、
前記充電量検知部により検知された前記バッテリーの充電量が所定の量以下であるか否かを判断する判断部と、
前記判断部により前記バッテリーの充電量が前記所定の量以下であると判断されれば、前記携帯端末装置記憶部に記憶された携帯端末装置データを無線通信により前記画像形成装置に送信するよう制御する送信制御部とを備え、
前記画像形成装置は、
データを記憶する画像形成装置記憶部と、
情報を表示する表示部と、
前記携帯端末装置から送信された前記携帯端末装置データを受信する画像形成装置受信部と、
前記画像形成装置受信部により受信された前記携帯端末装置データを前記画像形成装置記憶部に記憶するよう制御する記憶制御部と、
前記記憶部に記憶された前記携帯端末装置データに基づいて画像を形成して出力する出力部とを備える、画像形成システム。
【請求項２】
前記画像形成装置は、
パスワードの入力を受け付けるパスワード入力受け付け部と、
前記パスワード入力受け付け部により受け付けられた前記パスワードの正誤を判定するパスワード判定部と、
前記パスワード判定部により受け付けられた前記パスワードが正しいと判定されれば、前記出力部を作動させるよう制御する出力制御部をさらに備える、請求項１に記載の画像形成システム。
【請求項３】
前記携帯端末装置データは、前記携帯端末装置を作動させる際に利用されるパスワードである携帯端末装置パスワードのデータを含み、
前記パスワード判定部は、前記入力受け付け部により受け付けられた前記パスワードが、前記携帯端末装置パスワードと一致すれば、前記パスワードが正しいと判定する、請求項２に記載の画像形成システム。
【請求項４】
前記携帯端末装置データは、所定のカテゴリー毎に分類されており、
前記画像形成装置は、
前記所定のカテゴリー毎の前記出力部による出力の要求を受け付ける出力要求受け付け部をさらに備え、
前記出力部は、前記出力要求受け付け部により受け付けられた前記所定のカテゴリー毎に画像を形成して出力する、請求項１〜請求項３のいずれか１項に記載の画像形成システム。
【請求項５】
所定期間が経過すれば、前記画像形成装置記憶部に記憶された前記携帯端末装置データを消去するよう制御する消去制御部をさらに備える、請求項１〜請求項４のいずれか１項に記載の画像形成システム。
【請求項６】
前記消去制御部は、前記出力部により出力すれば、前記携帯端末装置データを消去する、請求項５に記載の画像形成システム。
【請求項７】
前記出力部は、用紙に画像を形成して出力する、請求項１〜請求項６のいずれか１項に記載の画像形成システム。
【請求項８】
前記出力部は、画像を形成して前記表示部に表示することにより出力する、請求項１〜請求項６のいずれか１項に記載の画像形成システム。
【請求項９】
前記携帯端末装置は、前記送信制御部により前記携帯端末装置データを前記画像形成装置に送信すれば、送信した前記画像形成装置の情報および送信した旨を報知する報知部をさらに備える、請求項１〜請求項８のいずれか１項に記載の画像形成システム。
【請求項１０】
前記無線通信は、ＮＦＣ（Ｎｅａｒ  Ｆｉｅｌｄ  Ｃｏｍｍｕｎｉｃａｔｉｏｎ）通信である、請求項１〜請求項９のいずれか１項に記載の画像形成システム。
【発明の詳細な説明】
【技術分野】
【０００１】
この発明は、画像形成システムに関するものである。
【背景技術】
【０００２】
ユーザーが携帯する携帯端末装置に関する技術が、特開２０００−３２１６７号公報（特許文献１）、および特開２００６−１６３５７７号公報（特許文献２）に開示されている。
【０００３】
特許文献１に開示の携帯端末装置は、基地局との無線通信を介して通信を行う通信手段と、装置本体の落下を検出する落下検出手段と、連絡先の電話番号を記憶する番号記憶手段と、前記装置本体の落下を知らせるメッセージを記憶するメッセージ記憶手段と、前記落下検出手段が前記装置本体の落下を検出した場合に、前記通信手段を制御して、前記電話番号に前記メッセージを通知する落下通知制御手段と、を具備することを特徴としている。
【０００４】
特許文献２に開示の携帯端末装置は、データを記憶する内部記憶手段と、携帯端末装置の落下を検知する落下検知手段と、前記落下検知手段により前記携帯端末装置の落下を検知した場合に、前記内部記憶手段に記憶されているデータを外部に転送するデータ転送手段とを備えることとしている。
【先行技術文献】
【特許文献】
【０００５】
【特許文献１】特開２０００−３２１６７号公報
【特許文献２】特開２００６−１６３５７７号公報
【発明の概要】
【発明が解決しようとする課題】
【０００６】
携帯端末装置は、ユーザーのスケジュールやアドレス帳といったデータを記憶するメモリ等の記憶部を含む。ユーザーにより、種々のデータが記憶部に記憶される。また、携帯端末装置は、バッテリーに充電された電力を消費して駆動している。
【０００７】
ここで、バッテリーの充電が切れると、すなわち、バッテリーに蓄えられた電力がなくなると、携帯端末装置が駆動しなくなる。そうすると、バッテリーに充電するまで、携帯端末装置の記憶部に記憶されたデータを表示したり、取り出したりすることができなくなる。すなわち、バッテリーの電力の消費量に注意を払わず、予期せぬタイミングで携帯端末装置が駆動しなくなると、記憶部に記憶されたデータを利用することができなくなる。このような状況は、ユーザーの利便性向上の観点からすると、できるだけ避けることが望ましい。このような状況に対して、特許文献１および特許文献２に開示の技術では、対応することができない。
【０００８】
この発明の目的は、ユーザーの利便性を向上させた画像形成システムを提供することである。
【課題を解決するための手段】
【０００９】
この発明に係る画像形成システムは、携帯端末装置と、携帯端末装置と無線通信が可能である画像形成装置とを含む。携帯端末装置は、携帯端末装置記憶部と、バッテリーと、充電量検知部と、判断部と、送信制御部とを備える。携帯端末装置記憶部は、携帯端末装置に関する携帯端末装置データを記憶する。バッテリーは、携帯端末装置を駆動させる電力を蓄える。充電量検知部は、バッテリーの充電量を検知する。判断部は、充電量検知部により検知されたバッテリーの充電量が所定の量以下であるか否かを判断する。送信制御部は、判断部によりバッテリーの充電量が所定の量以下であると判断されれば、携帯端末装置記憶部に記憶された携帯端末装置データを無線通信により画像形成装置に送信するよう制御する。画像形成装置は、画像形成装置記憶部と、表示部と、画像形成装置受信部と、記憶制御部と、出力部とを備える。画像形成装置記憶部は、データを記憶する。表示部は、情報を表示する。画像形成装置受信部は、携帯端末装置から送信された携帯端末装置データを受信する。記憶制御部は、画像形成装置受信部により受信された携帯端末装置データを画像形成装置記憶部に記憶するよう制御する。出力部は、記憶部に記憶された携帯端末装置データに基づいて画像を形成して出力する。
【発明の効果】
【００１０】
このような画像形成システムによると、判断部によりバッテリーの充電量が所定の量以下であると判断されれば、無線通信により画像形成装置に携帯端末装置データを送信し、画像形成装置記憶部に記憶することとしている。そうすると、携帯端末装置の充電が切れた際にも、画像形成装置記憶部に記憶された携帯端末装置データを出力して、携帯端末装置データを利用することができる。したがって、ユーザーの利便性を向上することができる。
【図面の簡単な説明】
【００１１】
【図１】この発明の一実施形態に係る画像形成システムの外観を示す概略図である。
【図２】図１に示す画像形成システムの構成を示すブロック図である。
【図３】複合機制御部の構成を示すブロック図である。
【図４】携帯端末装置に備えられるバッテリーの充電量が所定の量以下となった場合の処理の流れを示すフローチャートである。
【図５】複合機ハードディスクに記憶された携帯端末装置データを出力する場合の処理の流れを示すフローチャートである。
【図６】パスワード入力画面の一例を示す図である。
【図７】所定のカテゴリー毎に印刷するか否かを問い合わせる問い合わせ画面の一例を示す図である。
【発明を実施するための形態】
【００１２】
以下、この発明の実施の形態を説明する。なお、以下の図面において同一または相当する部分には同一の参照番号を付しその説明は繰返さない。図１は、この発明の一実施形態に係る画像形成システムの外観を示す概略図である。図２は、図１に示す画像形成システムの構成を示すブロック図である。
【００１３】
図１および図２を参照して、画像形成システム２４は、ユーザーの所有する携帯端末装置４１と、画像形成装置としての複合機１１とを含む。携帯端末装置４１は、複合機１１に対し、無線通信、この場合は、ＮＦＣ（Ｎｅａｒ  Ｆｉｅｌｄ  Ｃｏｍｍｕｎｉｃａｔｉｏｎ）通信を確立してデータの送受信を行うことができる。なお、携帯端末装置４１と複合機１１とは、他の無線通信方法、例えば、Ｗｉ−ｆｉ（ワイファイ）（登録商標）やＢｌｕｅｔｏｏｔｈ（ブルートゥース）（登録商標）でも接続可能な構成としてもよい。
【００１４】
ここでまず、複合機１１の構成について説明する。複合機１１は、複合機制御部１２と、操作部１３と、画像読み取り部１４と、出力部としての画像形成部１５と、給紙カセット１６と、画像形成装置記憶部としての複合機ハードディスク１７と、ネットワーク２３と接続するための複合機ネットワークインターフェース部１８と、複合機通信部２５とを備える。
【００１５】
複合機制御部１２は、複合機１１全体の制御を行う。なお、複合機制御部１２は、ＣＰＵ等から構成されており、一時的にデータを記憶する主記憶メモリ１９を含む。操作部１３は、複合機１１側から発信する情報やユーザーの入力内容を表示するタッチパネル型式の表示部としての表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または載置台上にセットされた原稿の画像を読み取る。給紙カセット１６は、複数設けられており、それぞれ複数枚の用紙をその内部に収納することができる。画像形成部１５は、画像読み取り部１４により読み取られた原稿の画像データやネットワーク２３を介して送信された画像データを基に、給紙カセット１６等から搬送されてきた用紙に画像を形成して出力する。複合機ハードディスク１７は、送信された画像データや入力された画像形成条件等、画像形成に関するデータを記憶する。複合機通信部２５は、外部装置、具体的には、携帯端末装置４１や不図示のタブレットＰＣとの接続を行うためのインターフェースである。画像形成装置受信部としても機能する複合機通信部２５は、外部から送信される画像データや印刷ジョブといったデータを受信する。すなわち、複合機１１は、複合機通信部２５を通じて、外部装置から通信時に送信されたデータを受信する。
【００１６】
次に、携帯端末装置４１の構成について説明する。携帯端末装置４１は、携帯端末装置制御部４２と、携帯端末装置通信部４３と、携帯端末装置記憶部としての携帯端末装置メモリ４４と、情報を表示するタッチパネル４５と、バッテリー４６とを備える。携帯端末装置制御部４２は、携帯端末装置４１全体の制御を行う。携帯端末装置通信部４３は、外部装置、具体的には、複合機１１との接続を行うためのインターフェースである。携帯端末装置メモリ４４は、携帯端末装置４１に関する携帯端末装置データを記憶する。携帯端末装置データとは、携帯端末装置４１を所有するユーザーのスケジュールのデータやアドレス帳のデータ、画像データ等、種々の携帯端末装置に関するデータである。タッチパネル４５は、携帯端末装置４１に関する情報を表示すると共に、入力のインターフェースとなる。バッテリー４６は、携帯端末装置４１を駆動させる電力を蓄える。バッテリー４６は、充電により、消費された電力が補充される。
【００１７】
次に、携帯端末装置制御部４２の構成について説明する。携帯端末装置制御部４２は、充電量検知部４７と、判断部４８と、送信制御部４９とを備える。充電量検知部４７は、バッテリー４６の充電量を検知する。判断部４８は、充電量検知部４７により検知されたバッテリー４６の充電量が所定の量以下であるか否かを判断する。送信制御部４９は、判断部４８によりバッテリー４６の充電量が所定の量以下であると判断されれば、携帯端末装置メモリ４４に記憶された携帯端末装置データをＮＦＣ通信により複合機１１に送信するよう制御する。これらの構成については、後に詳述する。
【００１８】
次に、上記した複合機制御部１２の構成について説明する。図３は、複合機制御部１２の構成を示すブロック図である。図３を参照して、複合機制御部１２は、記憶制御部３１と、パスワード入力受け付け部３２と、パスワード判定部３３と、出力制御部３４と、出力要求受け付け部３５と、消去制御部３６とを備える。記憶制御部３１は、複合機通信部２５により受信された携帯端末装置データを複合機ハードディスク１７に記憶するよう制御する。パスワード入力受け付け部３２は、パスワードの入力を受け付ける。パスワード判定部３３は、パスワード入力受け付け部３２により受け付けられたパスワードの正誤を判定する。出力制御部３４は、パスワード判定部３３により受け付けられたパスワードが正しいと判定されれば、画像形成部１５を作動させるよう制御する。出力要求受け付け部３５は、所定のカテゴリー毎の画像形成部１５による出力の要求を受け付ける。画像形成部１５は、出力要求受け付け部３５により受け付けられた所定のカテゴリー毎に画像を形成して出力する。消去制御部３６は、所定期間が経過すれば、複合機ハードディスク１７に記憶された携帯端末装置データを消去するよう制御する。これらの構成についても、後に詳述する。
【００１９】
次に、この発明の一実施形態に係る画像形成システム２４により、携帯端末装置４１に備えられるバッテリー４６の充電量が所定の量以下となった場合について説明する。図４は、携帯端末装置４１に備えられるバッテリー４６の充電量が所定の量以下となった場合の処理の流れを示すフローチャートである。
【００２０】
図４を参照して、充電量検知部４７により、バッテリー４６の充電量を検知する（図４において、ステップＳ１１、以下、「ステップ」を省略する）。この充電量検知部４７による検知は、所定のタイミング毎に行ってもよいし、常時行ってもよい。そして、判断部４８は、バッテリー４６の充電量が所定の量以下であるか否かを判断する（Ｓ１２）。所定の量としては、例えば、バッテリー４６の全充電量の２０％に相当する値である。判断部４８により、バッテリー４６の充電量が所定の量以下であると判断されれば（Ｓ１２において、ＹＥＳ）、複合機１１とＮＦＣ通信を確立させる（Ｓ１３）。この場合、複合機通信部２５と携帯端末装置通信部４３とを利用して行う。
【００２１】
その後、送信制御部４９は、携帯端末装置メモリ４４に記憶された携帯端末装置データをＮＦＣ通信により複合機１１へ送信する（Ｓ１４）。複合機１１は、複合機通信部２５を介して、携帯端末装置４１から送信された携帯端末装置データを受信する（Ｓ１５）。そして、記憶制御部３１は、受信した携帯端末装置データを複合機ハードディスク１７に記憶するよう制御する（Ｓ１６）。このようにして、携帯端末装置データを複合機ハードディスク１７に記憶する。
【００２２】
次に、複合機ハードディスク１７に記憶された携帯端末装置データを出力する場合について説明する。図５は、複合機ハードディスク１７に記憶された携帯端末装置データを出力する場合の処理の流れを示すフローチャートである。
【００２３】
図５を参照して、パスワード入力受け付け部３２は、パスワード入力画面を表示画面２１に表示して、パスワードの入力を受け付ける（Ｓ２１）。図６は、パスワード入力画面の一例を示す図である。
【００２４】
図６を参照して、操作部１３の表示画面２１には、「パスワードを入力してください。」とのメッセージ５１と、パスワードを入力させる空欄のパスワード入力部５２と、「ＯＫ」と示されており、押下を検知することにより次の画面や処理に移行させる確認キー５３とが表示されている。ユーザーは、操作部１３等を利用して、パスワード入力部５２にパスワードを入力する。そして、確認キー５３を押下する。
【００２５】
所定期間の経過前に（Ｓ２２において、ＮＯ）パスワードの入力を受け付けると、パスワード判定部３３は、入力されたパスワードの正誤を判定する（Ｓ２３）。この場合、予め複合機１１側で設定され、複合機ハードディスク１７に記憶されたパスワードと、パスワード入力部５２に入力されたパスワードとが一致するか否かにより正誤を判定する。
【００２６】
パスワード判定部３３により、入力されたパスワードが正しいと判定されれば（Ｓ２３において、ＹＥＳ）、出力要求受け付け部３５は、出力の要求を受け付ける（Ｓ２４）。この場合、出力要求受け付け部３５は、所定のカテゴリー毎に携帯端末装置データを表示画面２１に表示して、所定のカテゴリー毎に用紙に画像を形成して出力するか、すなわち、所定のカテゴリー毎に印刷するか否かを問い合わせる（Ｓ２４）。
【００２７】
図７は、所定のカテゴリー毎に印刷するか否かを問い合わせる問い合わせ画面の一例を示す図である。図７を参照して、表示画面２１には、「受信データ一覧」のメッセージ５６と、「本日のスケジュール」との文字５７ａと、文字５７ａの横に配置されて「印刷」と示されており、押下を検知することにより、携帯端末装置データのうちの「本日のスケジュール」のカテゴリーに属するデータの画像を用紙に形成して出力する印刷キー５８ａと、「アドレス帳」との文字５７ｂと、文字５７ｂの横に配置されて「印刷」と示されており、押下を検知することにより、携帯端末装置データのうちの「アドレス帳」のカテゴリーに属するデータの画像を用紙に形成して出力する印刷キー５８ｂと、が表示されている。ユーザーは、要望に応じて、例えば、印刷キー５８ａを押下する。
【００２８】
印刷キー５８ａの押下を検知すると（Ｓ２４において、ＹＥＳ）、出力制御部３４は、要求に沿って出力する（Ｓ２５）。この場合、「本日のスケジュール」に属するカテゴリーの携帯端末装置データに基づいて画像形成部１５により画像を用紙に形成し、出力する。すなわち、「本日のスケジュール」に属するカテゴリーの携帯端末装置データに基づいて印刷する。より詳細な印刷を行いたい場合には、さらに要求に応じて、例えば、本日のスケジュールにおいて訪問される訪問先の地図の画像を印刷するようにする。
【００２９】
一方、出力要求受け付け部により印刷の要求を受け付けなければ（Ｓ２４において、ＮＯ）、出力制御部３４は、要求に応じて携帯端末装置データを処理する（Ｓ２６）。具体的には、例えば、携帯端末装置データに基づいて画像を形成して表示画面２１による表示を行う。すなわち、出力部としての表示画面２１が、画像を形成して表示画面２１に表示することにより出力するようにする。
【００３０】
なお、Ｓ２３において、入力されたパスワードが誤っていた場合（Ｓ２３において、ＮＯ）、再び、パスワード入力画面に戻る（Ｓ２１）。この場合、パスワード入力画面を再度表示する前に、「入力されたパスワードが誤っています。」とのメッセージを表示画面２１に表示するようにしてもよい。
【００３１】
また、パスワードが入力される前に所定期間経過したことを確認すれば（Ｓ２２において、ＹＥＳ）、消去制御部３６は、携帯端末装置データを複合機ハードディスク１７から消去するよう制御する（Ｓ２７）。
【００３２】
このような画像形成システム２４によると、判断部４８によりバッテリー４６の充電量が所定の量以下であると判断されれば、ＮＦＣ通信により複合機１１に携帯端末装置データを送信し、複合機ハードディスク１７に記憶することとしている。そうすると、携帯端末装置４１の充電が切れた際にも、複合機ハードディスク１７に記憶された携帯端末装置データを出力して、携帯端末装置データを利用することができる。したがって、ユーザーの利便性を向上することができる。
【００３３】
この場合、複合機１１は、それぞれ上記した構成のパスワード入力受け付け部３２、パスワード判定部３３、および出力制御部３４を備える構成であるため、パスワードの認証により、携帯端末装置データの出力の制限を行うことができる。したがって、携帯端末装置データを出力する際のセキュリティの確保を図ることができる。
【００３４】
また、この場合、複合機１１は、上記した構成の出力要求受け付け部３５を備える構成であるため、所定のカテゴリー毎に、ユーザーの望む携帯端末装置データの出力を行うことができる。したがって、よりユーザーの要求に応じた処理を行うことができる。
【００３５】
また、この場合、複合機１１は、上記した構成の消去制御部３６を備えるため、所定期間経過した後の複合機ハードディスク１７に記憶された携帯端末装置データの悪用を防ぎ、セキュリティを向上させることができる。
【００３６】
なお、上記の実施の形態において、消去制御部３６は、携帯端末装置データについて、出力されれば、具体的には、画像形成部１５により用紙に画像を形成されれば、これを契機として、携帯端末装置データを消去するようにしてもよい。こうすることによっても、セキュリティを向上させることができる。
【００３７】
また、上記の実施の形態において、パスワード判定部３３は、予め設定されたパスワードとの整合を判定することとしたが、これに限らず、携帯端末装置データが、携帯端末装置４１を作動させる際に利用されるパスワードである携帯端末装置パスワードのデータを含んでいれば、パスワード判定部３３は、パスワード入力受け付け部３２により受け付けられたパスワードが、携帯端末装置パスワードと一致すれば、パスワードが正しいと判定するようにしてもよい。すなわち、いわゆる携帯端末装置４１のロック機能に用いられるパスワードとする。こうすることにより、よりセキュリティ面での向上を図ることができる。また、予め複合機１１に対してパスワードを設定する必要がないため、ユーザーの利便性の向上を図ることもできる。
【００３８】
なお、上記の実施の形態において、携帯端末装置４１は、携帯端末装置データを送信した際に、送信した複合機１１の情報、および、送信した旨を報知する報知部を備える構成としてもよい。すなわち、携帯端末装置４１は、送信制御部４９により携帯端末装置データを複合機１１に送信すれば、送信した複合機１１の情報および送信した旨を報知する報知部をさらに備える構成とする。こうすることにより、携帯端末装置４１を所有するユーザーに、携帯端末装置データを送信した旨を確実に伝えることができる。また、複合機１１が複数設置されていた場合に、どの複合機１１に送信したかも把握することができる。この場合、携帯端末装置データの送信時に音声により報知することにしてもよいし、タッチパネル４５に表示するようにしてもよい。ここで、音声による報知については、ユーザーにバッテリー４６の充電量の低下を伝えることにもなるので、ユーザーへのバッテリー４６の充電の促進を図ることもできる。
【００３９】
また、上記の実施の形態において、パスワードによる認証なしに出力する構成を採用することにしてもよい。こうすることにより、より容易に出力することができる。
【００４０】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４１】
この発明に係る画像形成システムは、ユーザーの利便性の向上が要求される場合に、特に有効に利用される。
【符号の説明】
【００４２】
１１  複合機、１２  複合機制御部、１３  操作部、１４  画像読み取り部、１５  画像形成部、１６  給紙カセット、１７  複合機ハードディスク、１８  複合機ネットワークインターフェース部、１９  主記憶メモリ、２１  表示画面、２２  ＡＤＦ、２３  ネットワーク、２４  画像形成システム、２５  複合機通信部、３１  記憶制御部、３２  パスワード入力受け付け部、３３  パスワード判定部、３４  出力制御部、３５  出力要求受け付け部、３６  消去制御部、４１  携帯端末装置、４２  携帯端末装置制御部、４３  携帯端末装置通信部、４４  携帯端末装置メモリ、４５  タッチパネル、４６  バッテリー、４７  充電量検知部、４８  判断部、４９  送信制御部、５１，５６  メッセージ、５２  パスワード入力部、５３  確認キー、５７ａ，５７ｂ  文字、５８ａ，５８ｂ  印刷キー。
【図１】
2019068116.tif 000003
【図２】
2019068116.tif 000004
【図３】
2019068116.tif 000005
【図４】
2019068116.tif 000006
【図５】
2019068116.tif 000007
【図６】
2019068116.tif 000008
【図７】
2019068116.tif 000009